(57)【要約】【課題】直線状の両面テープを直線状に貼り付けることができると共に、長尺状の取付部材を被取付部材に湾曲した状態で固定できる配設具を得る。【解決手段】配設具１０の配設本体２１には保持部１８と連結部２０とがワイヤハーネス１４の長手方向に沿って複数配設されている。保持部１８は長手方向と直交する方向に延設された基部２２と、基部２２に立設されワイヤハーネス１４の外周部１４Ａを保持する一対の縦壁部２４と、を有している。連結部２０の長手方向両端部が隣接する保持部１８の基部２２に連結されており、連結部２０は長手方向と直交する幅が基部２２の延設方向の長さに比べて短く、湾曲自在となっている。また、保持部１８の基部２２における縦壁部２４と反対側には接着面５０が形成されている。【選択図】図１
2014052028.tif 000002
【特許請求の範囲】
【請求項１】
長尺状の取付部材の長手方向と交差する方向に延設された基部と、前記基部に立設され前記取付部材の外周部を保持する一対の縦壁部と、を有する保持部と、
長手方向両端部が隣接する前記保持部の基部に連結されると共に、前記長手方向と直交する幅が前記基部の延設方向の長さに比べて短く、湾曲自在な連結部と、
前記保持部と前記連結部とが前記取付部材の長手方向に沿って複数配設された配設本体と、
前記基部における前記一対の縦壁部と反対側に設けられ、被取付部材に接着される接着面と、
を有する配設具。
【請求項２】
前記接着面は、前記長手方向において部分的に凸となった頂部を有する請求項１に記載の配設具。
【請求項３】
前記接着面は、前記長手方向において、前記頂部を中心とする湾曲面または屈曲面となっている請求項２に記載の配設具。
【請求項４】
前記長手方向両端部の保持部に前記連結部によって連結されると共に、前記保持部に比べ前記長手方向に長尺とされ、前記取付部材を保持可能な両端保持部を有する請求項１〜３の何れか１項に記載の配設具。
【請求項５】
前記一対の縦壁部は、それぞれ互いに接近する方向へ突出された爪部を有する請求項１〜４の何れか１項に記載の配設具。
【請求項６】
前記複数の保持部は、各基部が前記長手方向と直交する方向に沿って平行に配置されている請求項１〜５の何れか１項に記載の配設具。
【発明の詳細な説明】
【技術分野】
【０００１】
本発明は、ワイヤハーネスやパイプ等の長尺状の取付部材をパネル等の被取付部材に湾曲した状態で固定するための配設具に関する。
【背景技術】
【０００２】
従来、ワイヤハーネスやパイプ等の長尺状の取付部材に使用する配設具としては、例えば、特許文献１がある。この従来技術では、ワイヤハーネスが、屈曲自在なワイヤハーネスプロテクタ内に収容され保護されている。また、このワイヤハーネスプロテクタは、開口部を有する枠状の小片が多数連結されており、各小片の枠内にワイヤハーネスを収めるようになっている。そして、隣接する一組の小片間の節部が適宜屈曲して、ワイヤハーネスに沿うように変形するようになっている。一方、特許文献２には、Ｌ形状に屈曲された配線ダクトが示されている。
【先行技術文献】
【特許文献】
【０００３】
【特許文献１】特開２００６−３２７３２２号
【特許文献２】特許第３６２５０５６号
【発明の概要】
【発明が解決しようとする課題】
【０００４】
しかしながら、特許文献１のワイヤハーネスプロテクタは、回動構造体の回動時に、ワイヤハーネスが他部材に干渉して損傷するのを防止することを目的としており、ワイヤハーネスを被取付部材に湾曲した状態で固定する構成となっていない。また、特許文献２の配線ダクトのように予め屈曲形状または湾曲形状が決まっている構造では、配線ダクトを被取付部材に両面テープで固定する場合に、前記形状に加工された両面テープを使用するか、または、直線状の両面テープを前記形状に加工して使用する必要があり、コストアップまたは作業が煩雑になる。
【０００５】
本発明は上記事実を考慮し、直線状の両面テープを直線状に貼り付けることができると共に、長尺状の取付部材を被取付部材に湾曲した状態で固定できる配設具を得ることを課題とする。
【課題を解決するための手段】
【０００６】
請求項１に記載の本発明の配設具は、長尺状の取付部材の長手方向と交差する方向に延設された基部と、前記基部に立設され前記取付部材の外周部を保持する一対の縦壁部と、を有する保持部と、長手方向両端部が隣接する前記保持部の基部に連結されると共に、前記長手方向と直交する幅が前記基部の延設方向の長さに比べて短く、屈曲自在な連結部と、前記保持部と前記連結部とが前記取付部材の長手方向に沿って複数配設された配設本体と、前記基部における前記一対の縦壁部と反対側に設けられ、被取付部材に接着される接着面と、を有する。
【０００７】
請求項１に記載の本発明の配設具では、配設本体に保持部と連結部とが取付部材の長手方向に沿って複数配設されている。また、保持部が、長尺状の取付部材の長手方向と交差する方向に延設された基部と、基部に立設され取付部材の外周部を保持する一対の縦壁部と、を有している。更に、連結部の長手方向両端部が隣接する保持部の基部に連結されており、連結部は長手方向と直交する幅が基部の延設方向の長さに比べて短く、湾曲自在となっている。このため、配設本体が一直線となる状態として、各保持部の基部における一対の縦壁部と反対側に設けられた接着面に直線状の両面テープを直線状に貼り付けることができる。次に、湾曲自在な連結部によって、被取付部材の配設部の湾曲形状に沿って配設本体を湾曲させることで、両面テープを介して配設具を被取付部材に湾曲した状態で固定することができる。この結果、保持部に長尺状の取付部材を保持することで、長尺状の取付部材を被取付部材に湾曲した状態で固定できる。
【０００８】
請求項２記載の本発明は請求項１に記載の配設具において、前記接着面は、前記長手方向において部分的に凸となった頂部を有する。
【０００９】
請求項２に記載の本発明の配設具では、各保持部の接着面に、配設具の長手方向において部分的に凸となった頂部が設けられている。このため、頂部によって、各保持部の接着面に貼り付けられた両面テープにおける隣接する保持部の間となる部位に撓みが生じる。この結果、両面テープに撓みが生じることで配設具が湾曲し易くなる。
【００１０】
請求項３記載の本発明は請求項２に記載の配設具において、前記接着面は、前記長手方向において、前記頂部を中心とする湾曲面または屈曲面となっている。
【００１１】
請求項３に記載の本発明の配設具では、接着面が配設具の長手方向において、頂部を中心とする湾曲面または屈曲面となっている。このため、頂部を中心とする湾曲面または屈曲面に沿って、各保持部の接着面に貼り付けられた両面テープにおける隣接する保持部の間の部位に撓みが更に生じ易くなる。この結果、両面テープに撓みが生じることで配設具が更に湾曲し易くなる。
【００１２】
請求項４記載の本発明の配設具は、請求項１〜３の何れか１項に記載の配設具において、前記長手方向両端部の保持部に前記連結部によって連結されると共に、前記保持部に比べ前記長手方向に長尺とされ、前記取付部材を保持可能な両端保持部を有する。
【００１３】
請求項４に記載の本発明の配設具では、保持部に比べて配設具の長手方向に長尺とされ、取付部材を保持可能な両端保持部が、配設具の長手方向両端部の保持部に連結部によって連結されている。このため、取付部材を両端保持部に保持し、両端保持部を被取付部材に固定することで、取付部材の被取付部材への取付強度がアップする。
【００１４】
請求項５記載の本発明の配設具は、請求項１〜４の何れか１項に記載の配設具において、前記一対の縦壁部は、それぞれ互いに接近する方向へ突出された爪部を有する。
【００１５】
請求項５に記載の本発明の配設具では、保持部の一対の縦壁部に、それぞれ互いに接近する方向へ突出された爪部が取付部材に当接し、取付部材が保持部から抜けるのを防止する。
【００１６】
請求項６記載の本発明の配設具は、請求項１〜５の何れか１項に記載の配設具において、前記複数の保持部は、各基部が前記長手方向と直交する方向に沿って平行に配置されている。
【００１７】
請求項６に記載の本発明の配設具では、複数の保持部の基部が、配設具の長手方向と直交する方向に沿って平行に配置されているため、取付部材の保持が安定する。
【発明の効果】
【００１８】
請求項１に記載の本発明の配設具は、上記構成としたので、直線状の両面テープを直線状に貼り付けることができると共に、長尺状の取付部材を被取付部材に湾曲した状態で固定できる。
【００１９】
請求項２に記載の本発明の配設具は、上記構成としたので、連結部を湾曲し易くできる。
【００２０】
請求項３に記載の本発明の配設具は、上記構成としたので、連結部を更に湾曲し易くできる。
【００２１】
請求項４に記載の本発明の配設具は、上記方法としたので、取付部材の被取付部材への取付強度をアップできる。
【００２２】
請求項５に記載の本発明の配設具は、上記方法としたので、保持部から取付部材が抜けるのを防止できる。
【００２３】
請求項６に記載の本発明の配設具は、上記方法としたので、取付部材の保持を安定させることができる。
【図面の簡単な説明】
【００２４】
【図１】本発明の第１実施形態に係る配設具を示す接着面と反対側から見た斜視図である。
【図２】本発明の第１実施形態に係る配設具を示す接着面側から見た斜視図である。
【図３】図１の３−３断面線に沿った拡大断面図である。
【図４】本発明の第１実施形態に係る配設具を示す接着面と反対側から見た平面図である。
【図５】本発明の第１実施形態に係る配設具を示す側面図である。
【図６】図４の６−６断面線に沿った拡大断面図である。
【図７】本発明の第１実施形態に係る配設具の湾曲させた状態を示す接着面と反対側から見た平面図である。
【図８】図７の８−８断面線に沿った拡大断面図である。
【図９】図７の９−９断面線に沿った拡大断面図である。
【図１０】本発明の第２実施形態に係る配設具を示す接着面と反対側から見た平面図である。
【図１１】本発明の第３実施形態に係る配設具の要部を示す接着面と反対側から見た平面図である。
【図１２】本発明の第４実施形態に係る配設具の要部を示す接着面と反対側から見た平面図である。
【図１３】本発明の第５実施形態に係る配設具の要部を示す接着面と反対側から見た平面図である。
【図１４】本発明の第６実施形態に係る配設具の要部を示す接着面と反対側から見た平面図である。
【図１５】本発明の第７実施形態に係る配設具の要部を示す接着面と反対側から見た平面図である。
【図１６】本発明の第８実施形態に係る配設具の要部を示す接着面と反対側から見た平面図である。
【図１７】本発明の第９実施形態に係る配設具の要部を示す接着面と反対側から見た平面図である。
【図１８】本発明の第１０実施形態に係る配設具を示す図６に対応する断面図である。
【図１９】本発明の第１１実施形態に係る配設具を示す図６に対応する断面図である。
【図２０】本発明の第１２実施形態に係る配設具を示す図６に対応する断面図である。
【図２１】本発明の第１３実施形態に係る配設具を示す図６に対応する断面図である。
【図２２】本発明の第１４実施形態に係る配設具を示す図６に対応する断面図である。
【発明を実施するための形態】
【００２５】
次に、本発明の配設具の第１実施形態を図１〜図８に従って説明する。
なお、図中、同一又は対応する機能を有する部材（構成要素）には同じ符号を付して適宜説明を省略する。
【００２６】
図８に示すように、本実施形態の配設具１０は、例えば、被取付部材の一例としての自動車車体のリアウインドウガラス１２に、長尺状の取付部材の一例としてのデフォッガー用ワイヤハーネス１４を取付けるために用いられる。
【００２７】
図１及び図２に示すように、配設具１０はワイヤハーネス１４の長手方向（図１及び図２の矢印Ａ方向）を長手方向としており、例えば、一例として合成樹脂で構成されている。配設具１０の配設本体２１は、ワイヤハーネス１４を保持するための複数（本実施形態では５本）の保持部１８と、隣接する保持部１８を互いに連結する複数の連結部２０と、を備えている。また、連結部２０は、配設具１０の長手方向（図１及び図２の矢印Ａ方向）に沿って直線状に延びおり、保持部１８と連結部２０とがワイヤハーネス１４の長手方向に沿って配設されている。
【００２８】
図４に示すように、各保持部１８は配設具１０の長手方向（図４の矢印Ａ方向）と直交する方向（図４の矢印Ｂ方向）に延設された基部２２を有しており、基部２２の延設方向（図４の矢印Ｂ方向）中央部２２Ａが連結部２０によって互いに連結されている。また、連結部２０は、配設具１０の長手方向（図４の矢印Ａ方向）と直交する方向（図４の矢印Ｂ方向）となる幅Ｗ１が、基部２２の延設方向の長さＬ１に比べて短くなっている。従って、各連結部２０は、配設具１０の長手方向（図４の矢印Ａ方向）に対して、図７に示すように、長手方向と交差する方向へ湾曲自在となっている。
【００２９】
図３に示すように、保持部１８の基部２２における延設方向（図３の矢印Ｂ方向）の両端部２２Ｂには、一対の縦壁部２４が同一方向（上方）へ立設されており、こられの縦壁部２４によってワイヤハーネス１４の外周部１４Ａが保持されるようになっている。
【００３０】
図４に示すように、保持部１８の基部２２は、配設具１０の長手方向（図４の矢印Ａ方向）と直交する方向（図４の矢印Ｂ方向）に平行に配置されている。このため、保持部１８における一対の縦壁部２４によって、ワイヤハーネス１４の外周部１４Ａを長手方向に沿って等間隔で且つ対向する位置で挟み込むことができるようになっている。
【００３１】
図１及び図２に示すように、配設本体２１における長手方向（図１及び図２の矢印Ａ方向）の両端部の保持部１８には、連結部２０によって両端保持部２６が連結されている。これらの両端保持部２６は保持部１８に比べて配設具１０の長手方向に沿って長尺とされており、矩形板状の基部３０を有している。また、基部３０の幅方向（図４の矢印Ｂ方向）の両端部には、一対の縦壁部３２が同一方向（上方）へ立設されており、こられの縦壁部３２によってワイヤハーネス１４の外周部１４Ａが保持されるようになっている。なお、両端保持部２６の基部３０における一対の縦壁部３２と反対側は接着面３０Ａとなっている。
【００３２】
図４に示すように、両端保持部２６の基部３０の幅方向中央部３０Ｂが、連結部２０によって、隣接する保持部１８における基部２２の延設方向中央部２２Ａに連結されている。
【００３３】
図１及び図２に示すように、両端保持部２６の一対の縦壁部３２は、先端部における配設具１０の長手方向両端部側にそれぞれ互いに接近する方向へ突出された爪部３４を有している。これらの爪部３４が、両端保持部２６に挿入されたワイヤハーネス１４の外周部に当接することによって、ワイヤハーネス１４が両端保持部２６から抜けるのを防止できるようになっている。
【００３４】
また、５本の保持部１８のうち中央部に位置する３本の保持部１８は、一対の縦壁部２４の先端部にそれぞれ互いに接近する方向へ突出された爪部４０を有している。なお、図３に示すように、これらの爪部４０は、保持部１８に挿入されたワイヤハーネス１４の外周部１４Ａに当接することによって、ワイヤハーネス１４が保持部１８から抜けるのを防止できるようになっている。
【００３５】
図５に示すように、各保持部１８の基部２２における一対の縦壁部２４と反対側には接着面５０が形成されており、これらの接着面５０に両面テープ５２が貼り付けられるようになっている。
【００３６】
図６に示すように、基部２２は、その延設方向から見た形状が、配設具１０の長手方向（図６の矢印Ａ方向）を長手方向とする略長方形状となっている。また、接着面５０は、基部２２の延設方向と直交する方向、即ち、配設具１０の長手方向（図６の矢印Ａ方向）において中央部が下方へ凸となった頂部５４を有している。また、接着面５０は頂部５４を中心とする下方へ凸の円弧状の湾曲面となっている。
【００３７】
従って、図４に示すように、配設具１０の配設本体２１と両端保持部２６とを一直線状に配置した状態で、保持部１８の接着面５０と両端保持部２６の接着面３０Ａとに直線状の両面テープ５２を貼り付けることができるようになっている。この際、図５及び図６に示すように、頂部５４を中心とする湾曲面となった接着面５０に両面テープ５２が貼り付けられることで、隣接する保持部１８の基部２２の間の空間となっている部分に設けられる両面テープ５２の部位５２Ａに撓みが生じるようになっている。
【００３８】
従って、図７に示すように、複数の連結部２０によって、配設具１０を湾曲させると、湾曲した配設具１０の外周側では、図８に示すように、両面テープ５２の部位５２Ａの撓みが小さくなる。一方、湾曲した配設具１０の内周側では、図９に示すように、両面テープ５２の部位５２Ａの撓みが大きくなる。
【００３９】
（作用・効果）
次に、本実施形態の作用及び効果について説明する。
本実施形態では、配設具１０の配設本体２１に、保持部１８と連結部２０とが長手方向（矢印Ａ方向）に沿って複数配設されている。また、連結部２０の長手方向（矢印Ａ方向）の両端部が隣接する保持部１８の基部２２に連結されており、連結部２０は長手方向（矢印Ａ方向）と直交する幅Ｗ１が基部２２の延設方向（矢印Ｂ方向）の長さＬ１に比べて短く、湾曲自在となっている。このため、図４に示すように、配設具１０の配設本体２１と両端保持部２６とを一直線状に配置した状態で、保持部１８の接着面５０と両端保持部２６の接着面３０Ａとに直線状の両面テープ５２を貼り付けることができる。
【００４０】
次に、図７に示すように、複数の連結部２０によって、リアウインドウガラス１２（図８及び図９参照）の配設部となる角部の湾曲形状に沿って、配設具１０を湾曲させることができる。このため、両面テープ５２を介して、配設具１０をリアウインドウガラス１２に湾曲した状態で固定することができる。また、配設具１０の保持部１８と両端保持部２６とに、ワイヤハーネス１４を保持することができる。
【００４１】
従って、本実施形態の配設具１０では、直線状の両面テープ５２を直線状に貼り付けることができると共に、ワイヤハーネス１４をリアウインドウガラス１２に湾曲した状態で固定できる。
【００４２】
また、本実施形態の配設具１０では、図５及び図６に示すように、接着面５０に設けた頂部５４によって、隣接する保持部１８の基部２２の間の空間となっている部分に設けられる両面テープ５２の部位５２Ａに、隣接する保持部１８の間に入り込む方向（図５及び図６の上方）へ向って撓みが生じる。従って、図７に示すように、配設具１０を湾曲させると、湾曲した配設具１０の外周側では、図８に示すように、両面テープ５２の部位５２Ａの撓みが小さくなる。一方、湾曲した配設具１０の内周側では、図９に示すように、両面テープ５２の部位５２Ａの撓みが大きくなる。この結果、配設具１０が湾曲し易くなる。また、配設具１０が湾曲する際に、両面テープ５２における撓みの方向が頂部５４によって、図９の上方向へ誘導される。このため、両面テープ５２が局所的に重なり互いに接着するのを防止することができる。
【００４３】
更に、本実施形態の配設具１０では、保持部１８の接着面５０が頂部５４を中心とする湾曲面となっている。このため、保持部１８の接着面５０に貼り付けられた両面テープ５２の部位５２Ａに撓みが更に生じ易くなっている。この結果、配設具１０が更に湾曲し易くなると共に、両面テープ５２が互いに接着するのを更に防止することができる。
【００４４】
また、本実施形態の配設具１０では、保持部１８に比べて長尺とされた両端保持部２６が、配設本体２１の長手方向両端部に位置する保持部１８に連結部２０によって連結されている。このため、各両端保持部２６の基部３０を両面テープ５２によってリアウインドウガラス１２に接着し、各両端保持部２６によって、ワイヤハーネス１４を保持することができる。この結果、リアウインドウガラス１２へのワイヤハーネス１４への取付強度をアップできる。
【００４５】
また、本実施形態の配設具１０では、５本の保持部１８のうち中央部に位置する３本の保持部１８が、一対の縦壁部２４の先端部にそれぞれ互いに接近する方向へ突出された爪部４０を有している。このため、これらの爪部４０が、保持部１８に挿入されたワイヤハーネス１４の外周部１４Ａに当接することによって、ワイヤハーネス１４が保持部１８から抜けるのを防止できる。
【００４６】
また、本実施形態の配設具１０では、両端保持部２６が、一対の縦壁部３２の先端部にそれぞれ互いに接近する方向へ突出された爪部３４を有している。このため、これらの爪部３４が、両端保持部２６に挿入されたワイヤハーネス１４の外周部１４Ａに当接することによって、ワイヤハーネス１４が両端保持部２６から抜けるのを防止できる。
【００４７】
また、本実施形態の配設具１０では、複数の保持部１８の基部２２が、配設具１０の長手方向（図４の矢印Ａ方向）と直交する方向（図４の矢印Ｂ方向）に平行に配置されている。このため、複数の保持部１８における一対の縦壁部２４によって、ワイヤハーネス１４の外周部１４Ａを長手方向（図４の矢印Ａ方向）に沿って等間隔で且つ対向する位置で挟み込むことができる。この結果、ワイヤハーネス１４の保持が安定する。
【００４８】
（その他の実施形態）
以上に於いては、本発明を特定の実施形態について詳細に説明したが、本発明は上記実施形態に限定されるものではなく、本発明の範囲内にて他の種々の実施形態が可能であることは当業者にとって明らかである。例えば、上記実施形態では、配設本体２１の長手方向両端部に両端保持部２６をそれぞれ設けたが、図１０に示す第２実施形態のように、両端保持部２６に代えて、６本以上の保持部１８を連結部２０で連結した構成としてもよい。
【００４９】
また、上記実施形態では、配設具１０における複数の保持部１８の基部２２が、配設具１０の長手方向（図４の矢印Ａ方向）と直交する方向（図４の矢印Ｂ方向）に平行に配置されており、基部２２の延設方向中央２２Ａを配設具１０の長手方向に沿って直線状に延びる連結部２０で連結した。これに代えて、図１１に示す第３実施形態のように、基部２２の延設方向中央以外の同一部位を連結部２０で連結した構成としてもよい。
【００５０】
また、図１２に示す第４実施形態のように、基部２２の延設方向中央以外の部位を隣接する基部２２に対して基部２２の延設方向の異なる位置で交互に連結した構成としてもよい。
【００５１】
また、図１３に示す第５実施形態のように、基部２２の延設方向中央以外の部位を隣接する基部２２に対して基部２２の延設方向に沿った異なる位置で交互に連結すると共に、連結部２０を配設具１０の長手方向（図１３の矢印Ａ方向）に対して傾斜させた構成としてもよい。
【００５２】
また、図１４に示す第６実施形態のように、連結部２０を配設具１０の長手方向（図１４の矢印Ａ方向）に対して傾斜させると共に湾曲させた構成としてもよい。
【００５３】
また、図１５に示す第７実施形態のように、連結部２０の長手方向の一部に狭幅部２０Ａ等の変形促進部を形成した構成としてもよい。
【００５４】
また、図１６に示す第８実施形態のように、複数の保持部１８の基部２２を配設具１０の長手方向（図１６の矢印Ａ方向）に対して隣接する基部２２が反対方向へ傾斜するように配置した構成としてもよい。
【００５５】
また、図１７に示す第９実施形態のように、基部２２の延設方向（図１７の矢印Ｂ方向）の中央部に配設具１０の長手方向（図１７の矢印Ａ方向）に沿った屈曲部２２Ｃが形成されており、この屈曲部２２Ｃの長手方向（図１７の矢印Ａ方向）に沿った延長線上に連結部２０を配置した構成としてもよい。
【００５６】
また、上記各実施形態では、保持部１８の基部２２における接着面５０を頂部５４が中心となった円弧状の湾曲面とした。これに代えて、図１８に示す第１０実施形態のように、接着面５０の頂部５４が平面となっており、頂部５４の両側に傾斜面６０を有する構成としてもよい。
【００５７】
また、図１９に示す第１１実施形態のように、接着面５０の頂部５４が平面となっており、頂部５４の両側に湾曲面６２を有する構成としてもよい。
【００５８】
また、上記実施形態では、保持部１８の基部２２の延設方向から見た形状を略長方形状とした。これに代えて、保持部１８の基部２２の延設方向から見た形状を、図２０に示す第１２実施形態の６角形状や、図２１に示す第１３実施形態の菱形形状や、図２２に示す第１４実施形態の３角形状等の他の形状としてもよい。
【００５９】
また、上記実施形態では、本発明の配設具１０を、被取付部材の一例としての車体のリアウインドウガラス１２に、長尺状の取付部材の一例としてのデフォッガー用ワイヤハーネス１４を取付けるために使用した。これに代えて、取付部材をパイプ等の他の長尺状の取付部材とし、被取付部材をパネル等の他の被取付部材としてもよい。また、本発明の配設具１０は自動車以外の車両の車体や、家電、住宅等にも適用可能である。
【符号の説明】
【００６０】
１０    配設具
１２    リアウインドウガラス（被取付部材）
１４    ワイヤハーネス（取付部材）
１８    保持部
２０    連結部
２１    配設本体
２２    保持部の基部
２４    保持部の縦壁部
２６    両端保持部
３０    両端保持部の基部
４０    保持部の爪部
５０    保持部の接着面
５２    両面テープ
５４    接着面の頂部
【図１】
2014052028.tif 000003
【図２】
2014052028.tif 000004
【図３】
2014052028.tif 000005
【図４】
2014052028.tif 000006
【図５】
2014052028.tif 000007
【図６】
2014052028.tif 000008
【図７】
2014052028.tif 000009
【図８】
2014052028.tif 000010
【図９】
2014052028.tif 000011
【図１０】
2014052028.tif 000012
【図１１】
2014052028.tif 000013
【図１２】
2014052028.tif 000014
【図１３】
2014052028.tif 000015
【図１４】
2014052028.tif 000016
【図１５】
2014052028.tif 000017
【図１６】
2014052028.tif 000018
【図１７】
2014052028.tif 000019
【図１８】
2014052028.tif 000020
【図１９】
2014052028.tif 000021
【図２０】
2014052028.tif 000022
【図２１】
2014052028.tif 000023
【図２２】
2014052028.tif 000024